(57)【要約】    【課題】画像形成動作を繰り返していくと、現像剤のキャリアの樹脂コーティングの層が削れてキャリアの抵抗値が低下する。キャリアの抵抗値が下がると、感光体ドラムと現像ローラとの間に流れるバイアス電流が多くなり、現像性能が必要以上に高くなってカブリが生じてしまう。    【解決手段】感光体ドラム２と現像ローラ９との間に流れる交流電流Ｉａｃを制御部１２の検知部１９で検知する。検知部１９によって検知された基準時点における交流電流Ｉａｃ（０）と所定の時点における交流電流Ｉａｃ（ｔ）との差分Ｉａｃ（ｔ）−Ｉａｃ（０）を、算出部２０で算出する。算出された差分Ｉａｃ（ｔ）−Ｉａｃ（０）に応じてバイアス電圧Ｖｐｐを低下させるようにバイアス電源の動作を制御する。    【選択図】            図２
2007065401.tif 000002
【特許請求の範囲】
【請求項１】
像担持体に対向する現像ローラにバイアス電圧を印加するバイアス電源と、
像担持体と現像ローラとの間に流れる電流を検知する検知手段と、
検知手段によって検知された基準時点における上記電流と所定の時点における上記電流との差分を算出する算出手段と、
上記算出手段によって算出された上記差分に応じてバイアス電圧を低下させるようにバイアス電源の動作を制御する制御手段と、
を有することを特徴とする画像形成装置。
【請求項２】
上記バイアス電圧は、直流電圧と交流電圧とが重畳されたものであり、
上記制御手段は、上記差分に応じて交流電圧の周波数を高くするようにバイアス電源の動作を制御することを特徴とする請求項１記載の画像形成装置。
【請求項３】
上記制御手段は、基準時点におけるバイアス電圧と、所定の時点におけるバイアス電圧とを一致させることを特徴とする請求項１または２記載の画像形成装置。
【発明の詳細な説明】
【技術分野】
【０００１】
この発明は、画像形成装置に関する。
【背景技術】
【０００２】
たとえば、複写機やプリンタやファクシミリなどの画像形成装置には、一様に帯電された感光体ドラムを選択的に露光して静電潜像を形成し、この静電潜像を、現像装置で現像してトナー像にするものがある（たとえば、特許文献１参照）。現像装置は、感光体ドラムに対向する現像ローラを有しており、この現像ローラに現像バイアスが印加されるようになっている（例えば、特許文献２参照）。これにより、現像ローラに担持された現像剤中のトナーを、静電潜像の露光された領域に移して現像を行う。
【特許文献１】特開平７−２７１１３９号公報
【特許文献２】特開２００３−２９５５６７号公報
【発明の開示】
【発明が解決しようとする課題】
【０００３】
ところで、現像剤としてトナーとキャリアとを含む２成分現像剤を用いるものがある。キャリアは、磁性体の周囲に樹脂コーティングなどを施した粒状をしており、所定の抵抗を有している。しかしながら、画像形成動作を繰り返していくと、樹脂コーティングの層が削れてキャリアの抵抗値が低下していく。キャリアの抵抗値が下がると、感光体ドラムと現像ローラとの間に流れるバイアス電流が多くなり、その結果、現像性能が必要以上に高くなってカブリが生じてしまう。
【０００４】
特許文献２では、作像枚数に応じて現像バイアスの電圧を高くしている。しかしながら、このようにすると、上記したように、画像形成動作の繰り返しに伴い現像性能が必要以上に高くなった状態から、さらに現像バイアス電圧を高くすることとなり、現像性能がより高くなる。さらなるカブリを起こしてしまう。
この発明は、かかる背景のもとでなされたもので、カブリの発生を防止することのできる画像形成装置を提供することを目的とする。
【課題を解決するための手段】
【０００５】
上記の目的を達成するための請求項１記載の発明は、像担持体（２）に対向する現像ローラ（９）にバイアス電圧（Ｖｐｐ）を印加するバイアス電源と、像担持体（２）と現像ローラ（９）との間に流れる電流（Ｉａｃ）を検知する検知手段（１９）と、検知手段（１９）によって検知された基準時点における上記電流（Ｉａｃ（０））と所定の時点における上記電流（Ｉａｃ（ｔ））との差分を算出する算出手段（２０）と、上記算出手段（２０）によって算出された上記差分に応じてバイアス電圧（Ｖｐｐ）を低下させるようにバイアス電源の動作を制御する制御手段（１２）と、を有することを特徴とする画像形成装置（１）である。
【０００６】
なお、括弧内の英数字は、後述の実施形態における対応構成要素などを表す。以下、この項において同じ。
たとえば、画像形成動作の繰り返しに起因して、現像剤中のキャリアの樹脂コーティングの層が削れ、キャリアの抵抗値が低下し、像担持体と現像ローラとの間に流れる電流が多くなった場合、現像ローラの現像性能が必要以上に高くなる傾向がある。
【０００７】
この構成によれば、像担持体と現像ローラとの間の電流が多くなって基準時点における電流と所定の時点における電流との差分が大きくなり、現像ローラの現像性能が必要以上に高くなると、バイアス電圧を低下させて、現像ローラの現像性能を抑制することができる。これにより、現像ローラの現像性能を最適化して、カブリの発生を防止することができる。
【０００８】
請求項２記載の発明は、上記バイアス電圧（Ｖｐｐ）は、直流電圧（Ｖｄｃ）と交流電圧（Ｖａｃ）とが重畳されたものであり、上記制御手段（１２）は、上記差分に応じて交流電圧（Ｖａｃ）の周波数（ｆ）を高くするようにバイアス電源の動作を制御することを特徴とする請求項１記載の画像形成装置（１）である。
この構成によれば、バイアス電圧の交流電圧の周波数を高くすることにより、現像ローラの現像性能を抑制することができる。これにより、現像ローラの現像性能をより確実に最適化することができる。
【０００９】
請求項３記載の発明は、上記制御手段（１２）は、基準時点におけるバイアス電圧（Ｖｐｐ（０））と、所定の時点におけるバイアス電圧（Ｖｐｐ（ｔ））とを一致させることを特徴とする請求項１または２記載の画像形成装置（１）である。
この構成によれば、基準時点における電流を検知する際の条件と所定の時点における電流を検知する際の条件とを一致させることができる。したがって、現像剤のキャリアの抵抗値の低下に伴う電流の変化を正確に検知することができる。
【発明を実施するための最良の形態】
【００１０】
以下には、図面を参照して、この発明の実施形態について具体的に説明する。
図１は、この発明の一実施形態にかかる画像形成装置の要部の概略構成を示す図解的な縦断面図である。図１を参照して、画像形成装置１は、たとえば、複写機やプリンタやファクシミリであり、電子写真方式を用いて画像データに基づく画像を用紙（転写材）に形成するようになっている。
【００１１】
画像形成装置１は、感光体ドラム２（像担持体）と、帯電器３と、ＬＥＤヘッド４（露光装置）と、現像装置５と、クリーニング装置６と、を有しており、現像剤としてトナーとキャリアとを含む２成分現像剤を用いている。キャリアは、シリコーン樹脂のコーティングが施されたフェライトキャリアである。
感光体ドラム２は、軸方向（図１の紙面に垂直な方向）に長く延びた筒状の部材であり、所定の回転方向Ａ（図１の時計回り方向）に回転駆動するようになっている。感光体ドラム２の外周面に感光層が設けられている。回転方向Ａに沿って、帯電器３、ＬＥＤヘッド４、現像装置５およびクリーニング装置６が配置されている。
【００１２】
画像形成時、感光体ドラム２は、回転方向Ａに回転駆動し、帯電器３で一様に帯電される。帯電器３で帯電された感光体ドラム２は、ＬＥＤヘッド４で画像データに基づいて選択的に露光され、露光された部分の電位が低下する。これにより、感光体ドラム２に、画像データに基づく静電潜像が形成される。
静電潜像が形成された感光体ドラム２には、現像装置５から反転現像方式によりトナーが供給される。これにより、静電潜像が現像されてトナー像となる。トナー像は、転写ベルト７上を搬送されてきた用紙に転写される。用紙に転写されたトナー像は、定着装置（図示せず）で用紙に定着され、その後機外に排出される。一方、感光体ドラム２から用紙に転写し切れなかったトナーは、クリーニング装置６で感光体ドラム２から掻き落とされる。
【００１３】
現像装置５は、ハウジング８と、現像ローラ９と、穂切部材１０とを含んでいる。ハウジング８には、現像剤や、この現像剤を攪拌しつつ搬送するためのスパイラル軸１１などが収容されている。
現像ローラ９は、現像剤中のトナーを感光体ドラム２に移すためのものであり、感光体ドラム２と対向している。この現像ローラ９は、導電性を有する筒状の現像スリーブ９ａと、現像スリーブ９ａ内に同心に配置された磁気ロール９ｂとを含んでいる。
【００１４】
現像スリーブ９ａは、ハウジング８回転自在に支持されて、一部がハウジング８の開口８ａから突出しており、感光体ドラム２の回転方向Ａと反対の方向に回転駆動できるようになっている。
現像スリーブ９ａの外周面と感光体ドラム２の外周面との間には、１ｍｍ未満のわずかな隙間が設けられている。磁気ロール９ｂは、ハウジング８に固定されている。
【００１５】
現像ローラ９には、直流電圧と交流電圧とが重畳された現像バイアスが印加されており、これにより、現像スリーブ９ａ上に担持された現像剤のトナーを、感光体ドラム２に移すことができるようになっている。一方、現像スリーブ９ａ上に担持されたキャリアは、感光体ドラム２に移されずにハウジング８内に戻るようになっている。
穂切部材１０は、ハウジング８に固定されて現像スリーブ９ａに対向するブレード状の部材であり、現像スリーブ９ａ上に担持された現像剤の膜厚を所定の値に規定するようになっている。現像スリーブ９ａの外周面と穂切部材１０のエッジ１０ａとの間に、上記膜厚に相当する間隔が設けられている。
【００１６】
図２は、画像形成装置１の電気的な構成を示す図である。図２を参照して、画像形成装置１には、制御部１２（制御手段）が備えられている。この制御部１２は、ＣＰＵ、ＲＡＭ、ＲＯＭなどを含んでおり、現像ローラ９に印加される現像バイアスを制御することができるようになっている。
制御部１２には、ＡＣ発生回路１３が接続されている。このＡＣ発生回路１３は、ＡＣ増幅回路１４と接続されている。ＡＣ増幅回路１４には、電解コンデンサＣ３の一端が接続されており、電解コンデンサＣ３の他端にはトランスＴ１の一次側コイルの一端が接続されている。この一次側コイルの他端は、画像形成装置１のフレーム（図示せず）などに接地されている。
【００１７】
トランスＴ１の２次側コイルの一端には、出力端子１５を介して現像ローラ９が接続されている。感光体ドラム２は、接地されている。トランスＴ１の２次側コイルの一端と出力端子１５との間には、整流ダイオードＤ１の一端が接続されている。整流ダイオードＤ１の他端には、抵抗Ｒ２の一端が接続されている。抵抗Ｒ２の他端は、接地されている。
トランスＴ１の２次側コイルの他端には、抵抗Ｒ１の一端が接続されており、この抵抗Ｒ１の他端は、接地されている。トランスＴ１の２次側コイルの他端と抵抗Ｒ１の一端との間には、コンデンサＣ１の一端が接続されている。コンデンサＣ１の他端は、抵抗Ｒ３の一端に接続されており、この抵抗Ｒ３の他端は、接地されている。
【００１８】
コンデンサＣ１の他端と抵抗Ｒ３の一端との間には、整流ダイオードＤ２の一端が接続されており、この整流ダイオードＤ２の他端は、フィルタ１６に接続されている。整流ダイオードＤ２の他端とフィルタ１６との間には、コンデンサＣ２の一端が接続されているとともに、抵抗Ｒ４の一端が接続されている。コンデンサＣ２の他端および抵抗Ｒ４の他端は、それぞれ、接地されている。フィルタ１６には、ＤＣ増幅部１７が接続されている。このＤＣ増幅部１７は、制御部１２に接続されている。
【００１９】
制御部１２は、ＡＣ発生回路１３をリモートコントロール（遠隔制御）するようになっており、ＡＣ発生回路１３に矩形波の交流信号を生成させる。なお、矩形波の交流信号に代えて正弦波の交流信号を生成させてもよい。ＡＣ発生回路１３で生成された交流信号は、ＡＣ増幅回路１４で増幅され、トランスＴ１の駆動が可能となる。
ＡＣ増幅回路１４で増幅された交流信号は、電解コンデンサＣ３で直流成分をカットされ、トランスＴ１の一次側コイルには、交流電流のみが流れる。これにより、トランスＴ１では、二次側コイルに交流電圧Ｖａｃが発生する。この交流電圧Ｖａｃは、一次側コイルの電圧に、一次側コイルの巻き数と二次側コイルの巻き数との比（巻き数比）を乗じた値となる。
【００２０】
この実施形態では、交流電圧Ｖａｃに直流電圧Ｖｄｃを重畳するシフトバイアス方式を採用しており、トランスＴ１の二次側コイルに発生した交流電圧Ｖａｃから直流電圧Ｖｄｃを生成するようになっている。
具体的には、交流電圧Ｖａｃの発生に伴い流れる直流電流Ｉｄｃが、図２の実線で示す矢印の方向に流れる。すなわち、整流ダイオードＤ１からトランスＴ１を介して抵抗Ｒ１に流れる。これにより、抵抗Ｒ１の両端にＶｄｃ＝Ｉｄｃ×Ｒ１の直流電圧が発生する。抵抗Ｒ１の抵抗値は、たとえば１（ＭΩ）程度の高い値とされており、抵抗Ｒ１と抵抗Ｒ２との比率によって、所望の直流電圧Ｖｄｃを得ることができる。交流電圧Ｖａｃと直流電圧Ｖｄｃとは重畳されて、バイアス電圧Ｖｐｐ（＝Ｖａｃ＋Ｖｄｃ）となり、出力端子１５を介して現像ローラ９に印加される。
【００２１】
また、交流電流Ｉａｃは、図２の点線の点線で示すように流れる。具体的には、トランスＴ１、出力端子１５、現像ローラ９、感光体ドラム２、グランド、抵抗Ｒ３およびコンデンサＣ１を流れる。
ここで、抵抗Ｒ３とコンデンサＣ１のインピーダンスの総和は、抵抗Ｒ１の抵抗値の１／１００程度に設定されており、交流電流Ｉａｃのほとんどは、抵抗Ｒ１には流れずに、抵抗Ｒ３およびコンデンサＣ１に流れる。
【００２２】
これにより、抵抗Ｒ３の両端には、検知電圧Ｖｓ＝Ｉａｃ×Ｒ３が発生する。検知電圧Ｖｓは、整流ダイオードＤ２で整流されて直流検知電圧になる。この直流検知電圧は、フィルタ１６でノイズ成分を除去され、ＤＣ増幅部１７で増幅され、制御部１２のＡ／Ｄ変換部１８でＡ／Ｄ変換される。
これにより、交流電流Ｉａｃはデジタル値に変換され、現像ローラ９と感光体ドラム２との間に流れる電流として制御部１２の検知部１９（検知手段）に検知される。制御部１２には、算出部２０（算出手段）が設けられており、検知部１９によって検知された基準時点における交流電流Ｉａｃ（０）と、所定の時点における交流電流Ｉａｃ（ｔ）との差分Ｉａｃ（ｔ）−Ｉａｃ（０）が算出部２０で算出される。
【００２３】
たとえば、基準時点とは、新品の画像形成装置１を使用できるようにするセットアップ時をいい、所定の時点とは、基準時点から予め定める枚数（たとえば、２万枚）だけ印刷が行われる度の時点をいう。印刷枚数は、制御部１２に設けられたカウンタ（図示せず）により計数される。
制御部１２は、図３に示すマップをＲＯＭに格納しており、このマップに基づいてバイアス電源（ＡＣ発生回路１３など）の動作を制御する。具体的には、所定の時点における交流電流Ｉａｃ（ｔ）と、基準時点における交流電流Ｉａｃ（０）との差分Ｉａｃ（ｔ）−Ｉａｃ（０）に応じて、バイアス電圧Ｖｐｐ（バイアス電圧の交流電圧のピーク間電圧）を低下させるように、バイアス電源の動作を制御する。
【００２４】
さらに、制御部１２は、図４に示すマップをＲＯＭに格納しており、このマップに基づいてバイアス電源の動作を制御する。具体的には、交流電流Ｉａｃの上記差分Ｉａｃ（ｔ）−Ｉａｃ（０）に応じて、バイアス電圧Ｖｐｐの交流電圧Ｖａｃの周波数ｆを高くするように、バイアス電源の動作を制御する。
図２を参照して、制御部１２は、以下のようにして、現像ローラ９に印加する現像バイアスＶｐｐを制御する。すなわち、基準時点における交流電流Ｉａｃ（０）を検知し、その値を記憶しておく。次に、所定の時点における交流電流Ｉａｃ（ｔ）を検知し、差分Ｉａｃ（ｔ）−Ｉａｃ（０）を算出する。なお、所定の時点におけるバイアス電圧Ｖｐｐ（ｔ）は、基準時点におけるバイアス電圧Ｖｐｐ（０）と、一致させておく。
【００２５】
たとえば、現像装置５のハウジング８（図１参照）内のキャリアが、多数回の印刷動作に起因して他のキャリア等と擦れ、キャリアの樹脂コーティングが削れると、キャリアの抵抗値が下がり、その結果、感光体ドラム２と現像ローラ９との間に流れる交流電流Ｉａｃが高くなる。
これにより、交流電流Ｉａｃが高くなり、所定の時点における交流電流Ｉａｃ（ｔ）と基準時点における交流電流Ｉａｃ（０）との間に差分が生じると、図３に示すマップに基づいて、当該差分Ｉａｃ（ｔ）−Ｉａｃ（０）に応じて、バイアス電圧Ｖｐｐを低下させる。同時に、図４に示すマップに基づいて、上記差分Ｉａｃ（ｔ）−Ｉａｃ（０）に応じて、バイアス電圧Ｖｐｐの交流電圧Ｖａｃの周波数ｆを高くする。
【００２６】
以上説明したように、この実施形態によれば、たとえば、画像形成動作の繰り返しに起因して、現像剤中のキャリアの樹脂コーティングが削れ、キャリアの抵抗値が低下し、交流電流Ｉａｃが多くなった場合、現像ローラ９の現像性能が必要以上に高くなる傾向にある。
しかしながら、交流電流Ｉａｃ（ｔ）が多くなってその差分Ｉａｃ（ｔ）−Ｉａｃ（０）が大きくなり、現像ローラ９の現像性能が必要以上に高くなると、バイアス電圧Ｖｐｐを低下させて、現像ローラ９の現像性能を抑制することができる。これにより、現像ローラ９の現像性能を最適化して、カブリの発生を防止することができる。
【００２７】
また、上記差分Ｉａｃ（ｔ）−Ｉａｃ（０）に応じてバイアス電圧Ｖｐｐの交流電圧Ｖａｃの周波数ｆを高くすることにより、現像ローラ９の現像性能を抑制することができる。これにより、現像ローラ９の現像性能をより確実に最適化することができる。
さらに、基準時点におけるバイアス電圧Ｖｐｐ（０）と、所定の時点におけるバイアス電圧Ｖｐｐ（ｔ）とを一致させている。これにより、基準時点における交流電流Ｉａｃ（０）を検知する際の条件と所定の時点における交流電流Ｉａｃ（ｔ）を検知する際の条件とを一致させることができる。
【００２８】
したがって、交流電流Ｉａｃの差分Ｉａｃ（ｔ）−Ｉａｃ（０）に応じてバイアス電圧Ｖｐｐを低下した後、再度交流電流Ｉａｃの差分Ｉａｃ（ｔ）−Ｉａｃ（０）を算出する際に、バイアス電圧Ｖｐｐの低下に伴う交流電流Ｉａｃの変化の影響を受けることを防止できる。したがって、現像剤のキャリアの抵抗値の低下に伴う交流電流Ｉａｃの変化を正確に検知することができる。
【００２９】
この発明は、以上の実施形態の内容に限定されるものではなく、請求項記載の範囲内において種々の変更が可能である。たとえば、交流電流Ｉａｃの差分Ｉａｃ（ｔ）−Ｉａｃ（０）に関わらず、バイアス電圧Ｖｐｐの交流電圧Ｖａｃの周波数ｆを一定にしてもよい。
【実施例】
【００３０】
京セラミタ（株）製のカラープリンタ（機種名：ＬＳ−Ｃ８０２６Ｎ）を改造し、感光体ドラムと現像ローラとの間の交流電流Ｉａｃの差分Ｉａｃ（ｔ）−Ｉａｃ（０）に応じて、バイアス電圧Ｖｐｐとその交流電圧Ｖａｃの周波数ｆを可変できるようにした。
当該カラープリンタの仕様は以下のとおりである。
感光体ドラム：直径φは２０ｍｍ、感光体層の厚みは２０μｍ。
【００３１】
現像ローラ：現像スリーブの直径φは２０ｍｍ、外周面の周速は２００ｍｍ／ｓｅｃ、磁気ロールの磁極の強さは６０ｍＴ。現像スリーブの外周面と感光体ドラムの外周面との間の距離は０．４ｍｍ。現像スリーブの外周面と穂切部材のエッジとの間の距離は０．５ｍｍ。
また、図３におよび図４に示すマップに基づいて、交流電流Ｉａｃの差分Ｉａｃ（ｔ）−Ｉａｃ（０）に応じて、バイアス電圧Ｖｐｐとその交流電圧Ｖａｃの周波数ｆを可変するようになっている。基準時点におけるバイアス電圧Ｖｐｐは、１．８ｋＶであり、このときの周波数ｆは２ｋＨｚであり、バイアス電圧の直流電圧Ｖｄｃは１８０Ｖである。
【００３２】
このプリンタに用いる現像剤は、トナーとキャリアとを含む２成分現像剤である。トナーは、非磁性のトナーである。キャリアは、シリコーン樹脂コーティングが施されたフェライト（磁性体）キャリアであり、基準時点において、体積固有抵抗が１×１０8Ω・ｃｍ、飽和磁化が４０ｅｍｕ／ｇ、平均粒径が３５μｍである。
上記の条件（基準時点における条件）で、１０万枚のプリントを行った場合の交流電流Ｉａｃの差分Ｉａｃ（ｔ）−Ｉａｃ（０）は、０．１ｍＡであった。
【００３３】
このプリンタにおいて、バイアス電圧Ｖｐｐおよびその交流電圧Ｖａｃの周波数ｆの双方を一定にした場合を比較例とした。また、バイアス電圧Ｖｐｐおよびその交流電圧Ｖａｃの周波数ｆのうち、バイアス電圧Ｖｐｐのみを図３のマップに基づいて変更した場合を実施例１とした。さらに、バイアス電圧Ｖｐｐおよびその交流電圧Ｖａｃの周波数ｆの双方を、図３および図４のマップに基づいて変更した場合を実施例２とした。
【００３４】
比較例、実施例１および実施例２のそれぞれについて、黒色の単色のトナーを用いて１０万枚のプリント動作を行い、画像濃度の変化とカブリ濃度の変化とをグラフ化した。
画像濃度とは、プリント動作が行われた用紙の黒ベタ部分（画像領域）の濃度をいう。
また、カブリとは、プリント動作が行われた用紙において、画像のない非画像領域であるにも関わらず、トナーが僅かながら載ってしまっていることをいい、カブリ濃度とは、カブリに起因して生じる濃度をいう。
【００３５】
具体的には、カブリ濃度とは、プリント動作が行われた用紙のうち画像が形成されていない部分（非画像領域）における濃度（地肌濃度）から、プリント動作が行われていない更の用紙の濃度（ベース紙濃度）を引いた値をいう。すなわち、カブリ濃度＝地肌濃度−ベース紙濃度である。
用紙のカブリが生じている部分は、画像の形成されたベタ部分と異なり、トナーの量が僅かであるため、カブリが生じている部分の濃度は、ベース紙濃度の影響を受ける。したがって、上記のように、カブリ濃度は、地肌濃度からベース紙濃度を引いたものとなっている。
【００３６】
画像濃度およびカブリ濃度（地肌濃度、ベース紙濃度）は、（有）東京電色製の反射濃度計（機種名：ＴＣ−６ＤＳ）を使用して測定した。
結果を図５〜図７に示す。
図５に示すように、比較例では、プリント枚数が増えるにつれて、カブリ濃度が上昇しており、基準時点と１０万枚プリント時とでは、カブリ濃度の差分が約０．０２０となっている。
【００３７】
一方、実施例１では、プリント枚数の増大に伴うカブリ濃度の上昇が緩やかなものとなっており、カブリ濃度の差分が約０．００３となっている。比較例に対し、カブリ濃度の変化率が約１／７となっている。
また、実施例２では、プリント枚数の増大に伴うカブリ濃度の上昇が極めて緩やかになっており、カブリ濃度の差分が約０．００２となっている。比較例に対し、カブリ濃度の変化率が約１／１０となっている。
【００３８】
以上のように、実施例１，２は、画像濃度の変化を伴うことなく、カブリ濃度の上昇を抑制する効果を発揮できることが実証された。特に、実施例２におけるカブリ濃度の上昇を抑制する効果は、顕著である。
【図面の簡単な説明】
【００３９】
【図１】この発明の一実施形態にかかる画像形成装置の概略構成を示す図解的な縦断面図である。
【図２】画像形成装置の電気的な構成を示す図である。
【図３】交流電流の差分とバイアス電圧との関係を示すマップである。
【図４】交流電流の差分とバイアス電圧の交流電圧の周波数との関係を示すマップである。
【図５】比較例について説明するためのグラフ図である。
【図６】実施例１について説明するためのグラフ図である。
【図７】実施例２について説明するためのグラフ図である。
【符号の説明】
【００４０】
１  画像形成装置
２  感光体ドラム（像担持体）
９  現像ローラ
１２  制御部（制御手段）
１９  検知部（検知手段）
２０  算出部（算出手段）
ｆ  周波数
Ｉａｃ  交流電流（像担持体と現像ローラとの間に流れる電流）
Ｖａｃ  交流電圧
Ｖｄｃ  直流電圧
Ｖｐｐ  バイアス電圧
【図１】
2007065401.tif 000003
【図２】
2007065401.tif 000004
【図３】
2007065401.tif 000005
【図４】
2007065401.tif 000006
【図５】
2007065401.tif 000007
【図６】
2007065401.tif 000008
【図７】
2007065401.tif 000009